(57)【要約】【課題】第１および第２セクターアンテナ対１１，１２をそれぞれ有する第１および第２ブランチ系２１，２２と、該第１および第２ブランチ系からの各出力に対してダイバーシティ合成を行うダイバーシティ部２３とを備えるダイバーシティ受信装置において、アンテナ切替え時に生ずる受信品質の劣化を最小限に抑える。【解決手段】第１および第２セクターアンテナ対１１，１２の切替えと、その切替えに伴う第１および第２ブランチ系２１，２２とダイバーシティ部２３とにおける各処理を制御する切替え制御手段３０を備える。【選択図】      図３
2004172716.tif 000002
【特許請求の範囲】
【請求項１】
第１セクターアンテナ対のいずれか一方のセクターアンテナからの入力信号を処理する第１ブランチ系と、第２セクターアンテナ対のいずれか一方のセクターアンテナからの入力信号を処理する第２ブランチ系と、前記第１および第２ブランチ系内にてそれぞれ処理された各処理信号を入力としてダイバーシティ合成処理を行うダイバーシティ部と、を備えるダイバーシティ受信装置において、
前記第１および第２セクターアンテナ対の切替えと、その切替えに伴う前記第１および第２ブランチ系と前記ダイバーシティ部とにおける各処理を制御する切替え制御手段を備えることを特徴とするダイバーシティ受信装置。
【請求項２】
前記第１および第２ブランチ系はそれぞれ、対応する前記セクターアンテナ対におけるいずれか一方のセクターアンテナに切り替える切替え処理部と、該切替え処理部からの前記入力信号に対する入力処理を行う入力処理部と、該入力処理部からの出力信号に対して復調を行う復調処理部と、該復調処理部による復調後の信号を等化して前記ダイバーシティ部に印加する等化処理部と、を含むことを特徴とする請求項１に記載のダイバーシティ受信装置。
【請求項３】
前記第１および第２ブランチ系内における各前記入力処理部はＡＧＣ回路を含み、前記切替え制御手段は、各該ＡＧＣ回路からのＡＧＣ信号を監視して各前記セクターアンテナ対でのアンテナ切替えを行うことを特徴とする請求項１に記載のダイバーシティ受信装置。
【請求項４】
前記切替え制御手段は、前記第１セクターアンテナ対での切替えと、前記第２セクターアンテナ対での切替えとを、双方同時には行わないことを特徴とする請求項１に記載のダイバーシティ受信装置。
【請求項５】
前記復調処理部は、前記の復調に必要な同期情報を検出して同期処理を行う同期部と、該同期情報を所定の一定期間保持する保持部とを有することを特徴とする請求項２に記載のダイバーシティ受信装置。
【請求項６】
前記切替え制御手段は、前記第１および第２セクターアンテナ対の切替えを、それぞれ個別に、所定の切替え期間内に行い、さらに該切替え制御手段は、前記セクターアンテナ対の切替えに際し、前記所定の切替え期間の前半において前記同期情報を前記保持部に保持した後にその切替えを実行し、その期間の後半においてその保持した同期情報を用いてその切替え後の新たな前記入力信号に対して同期処理を実行することを特徴とする請求項２に記載のダイバーシティ受信装置。
【請求項７】
前記復調処理部における前記復調後の信号が、周波数軸方向と時間軸方向とに所定のフォーマットで配列されたデータシンボルおよび分散パイロットシンボルからなるとき、前記所定の切替え期間は、該分散パイロットシンボルの前記時間軸方向における挿入間隔の少なくとも２倍であることを特徴とする請求項６に記載のダイバーシティ受信装置。
【請求項８】
前記切替え制御手段は、少なくとも前記分散パイロットシンボルの挿入間隔分を、前記期間の前半として、その前半の期間経過後に前記セクターアンテナ対の切替えを行うことを特徴とする請求項６に記載のダイバーシティ受信装置。
【請求項９】
前記データシンボルおよび分散パイロットシンボルの各シンボルの全期間がガード期間と有効シンボル期間とからなるとき、前記切替え制御手段は、該有効シンボル期間内において、前記セクターアンテナ対の切替えを行うことを特徴とする請求項８に記載のダイバーシティ受信装置。
【請求項１０】
前記切替え制御手段は、前記ダイバーシティ部において、前記第１および第２ブランチ系からそれぞれ入力される各前記処理信号に対し個別に所定の係数を乗じた重み付けをした後、前記のダイバーシティ合成を実行させることを特徴とする請求項１または２に記載のダイバーシティ受信装置。
【請求項１１】
前記第１および第２ブランチ系のうち前記セクターアンテナ対の切替えを実行中の切替え側ブランチ系から入力される前記処理信号に対して、１より小さい前記係数で前記の重み付けを行うことを特徴とする請求項１０に記載のダイバーシティ受信装置。
【請求項１２】
前記等化処理部は、前記データシンボルおよび分散パイロットシンボルの各シンボルの全期間がガード期間と有効シンボル期間とからなるとき、マルチパス遅延波の遅延分散が、該有効シンボル期間の１／１２以内である場合、前記復調後の信号に対し前記周波数軸方向のみでの伝送路特性の補間を実行することを特徴とする請求項１１に記載のダイバーシティ受信装置。
【請求項１３】
前記係数を、前記遅延分散の程度に応じて変化させることを特徴とする請求項１２に記載のダイバーシティ受信装置。
【発明の詳細な説明】
【０００１】
【発明の属する技術分野】
本発明はダイバーシティ受信装置、特にマルチキャリア伝送方式の１つである直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘ  ）方式による送信波を受信し復調するのに好適なダイバーシティ受信装置に関する。
【０００２】
【従来の技術】
上記ＯＦＤＭ方式による受信装置は、マルチパス干渉の影響を受けることが比較的少ないという利点や周波数利用効率が高いという利点を有することから、例えば“地上デジタル放送”用の受信装置として広く採用されつつある。
【０００３】
また上記の利点を有することから、ＯＦＤＭ方式による受信装置は特に車載用などの移動体受信装置として最適である。ただし、移動体受信装置の場合は、その移動に伴う受信電力の変動が不可避であるから、安定した受信品質を維持するためにダイバーシティ方式を取り入れるのが一般的である。本発明はこのようなダイバーシティ受信装置について述べるものである。
【０００４】
既に提案されているダイバーシティ受信装置として、後に詳述する図８に示す形式のものがある（特願２００１−２７９２９２）。本発明によるダイバーシティ受信装置は、この図８に示すダイバーシティ受信装置を前提として構成される。なお、本発明に関連する公知技術としては、下記の特許文献１〜３がある。
【０００５】
【特許文献１】
特開２００１−３０８７６２号公報
【特許文献２】
特開２０００−１８８５８５号公報
【特許文献３】
特開２０００−１３４１７６号公報
【０００６】
【発明が解決しようとする課題】
本発明の前提をなす図８に示す構成のダイバーシティ受信装置は、例えば車両の右側前方および後方に設けられた指向性を有する第１セクターアンテナ対と、該車両の左側前方および後方に設けられた指向性を有する第２セクターアンテナ対と、これら第１セクターアンテナ対および第２セクターアンテナ対からの各入力信号を個別に処理する第１ブランチ系および第２ブランチ系と、これら第１および第２ブランチ系からの各処理信号をダイバーシティ合成するダイバーシティ部とを備えている。
【０００７】
当該車両（移動体）の走行によって上記受信電力が変動したとき、上記第１セクターアンテナ対をそのＲＦ入力段において一方のアンテナから他方のアンテナに切り替える。あるいは上記第２セクターアンテナ対をそのＲＦ入力段において一方のアンテナから他方のアンテナに切り替える。
【０００８】
このようなアンテナの切替えが発生したとき、一方のアンテナがこれまで受信していた送信波の伝送路特性と、切替え後に他方のアンテナがこれから受信する送信波の伝送路特性とは全く異なる。このため、そのアンテナ切替え時には、上記マルチキャリアの中のいずれかのサブキャリア成分がつぶれてしまう。したがって、上記第１および第２ブランチ系のうち、当該アンテナ切替えが生じた側のブランチ系内で処理されている入力信号がその切替えの前後で不連続となってしまう。
【０００９】
結局、上記アンテナ切替えが発生する都度、受信中の音声信号や映像信号の品質が大幅に劣化する、という問題がある。
【００１０】
したがって本発明は、上記問題点に鑑み、アンテナ切替えによって生ずる受信品質の劣化を最小限に抑えることのできるダイバーシティ受信装置を提供することを目的とするものである。
【００１１】
【課題を解決するための手段】
図１は本発明によるダイバーシティ受信装置の基本構成図である。
【００１２】
本図に示すダイバーシティ受信装置１０は、第１セクターアンテナ対１１のいずれか一方のセクターアンテナ（１１ｆ（ｆｒｏｎｔ）または１１ｒ（ｒｅａｒ））からの入力信号を処理する第１ブランチ系２１と、第２セクターアンテナ対１２のいずれか一方のセクターアンテナ（１２ｆまたは１２ｒ）からの入力信号を処理する第２ブランチ系２２と、これら第１および第２ブランチ系２１，２２内にてそれぞれ処理された各処理信号を入力としてダイバーシティ合成処理を行うダイバーシティ部２３と、を備えるダイバーシティ受信装置を前提としている。ここに本発明の特徴は切替え制御手段３０を設けた点にある。
【００１３】
この切替え制御手段３０は、上記第１および第２セクターアンテナ対１１および１２の切替えと、その切替えに伴う上記第１および第２ブランチ系２１および２２と上記ダイバーシティ部２３とにおける各処理を制御するものである。
【００１４】
このような、アンテナの切替え制御を司る手段３０を導入することによって、アンテナ切替え時における受信品質の劣化を抑えることができる。
【００１５】
【発明の実施の形態】
本発明の実施例を以下に説明するが、その前に、本発明のより一層の理解のために、本発明の前提技術について説明しておく。
【００１６】
図８は本発明の前提をなすダイバーシティ受信装置の構成を示す図である。なお、全図を通じて同様の構成要素には同一の参照番号または記号を付して示す。
【００１７】
図８に示すとおり、ダイバーシティ受信装置１０は、第１セクターアンテナ対１１側の第１ブランチ系２１および第２セクターアンテナ対１２側の第２ブランチ系からなり、さらに、これら第１および第２ブランチ系２１，２２はそれぞれ、対応するセクターアンテナ対１１，１２におけるいずれか一方のセクターアンテナに切り替える切替え処理部４１，４２と、切替え処理部４１，４２からの入力信号に対する入力処理を行う入力処理部５１，５２と、入力処理部５１，５２からの出力信号に対して復調を行う復調処理部６１，６２と、復調処理部６１，６２による復調後の信号を等化してダイバーシティ部２３に印加する等化処理部７１，７２と、を含んで構成される。
【００１８】
さらに具体的には、切替え処理部４１，４２は、切替え器４３，４４および切替え判定部３１からなり、入力処理部５１，５２は、ＲＦ／ＩＦ段５３，５５およびＡＧＣ回路５４，５６からなり、復調処理部６１，６２は、復調部６３，６５および同期部６４，６６からなる。なお、これらの回路部分については、後に、さらに詳しく説明する。
【００１９】
また図８において、上記切替え器４３，４４に接続するセクターアンテナ１１ｆ，１１ｒ，１２ｆ，１２ｒにそれぞれ隣接して図示する半円形のハッチングは指向性の方向を表しており、第１セクターアンテナ対１１は相互に１８０°異なる指向性を有する一対のセクターアンテナ１１ｆ、１１ｒからなり、第２セクターアンテナ対１２も相互に１８０°異なる指向性を有する一対のセクターアンテナ１２ｆ，１２ｒからなることを示している。これらのセクターアンテナが、例えば車両の右側の前方と後方およびその左側の前方と後方に設けられることは、既述したとおりである。
【００２０】
かくして図８の構成によれば、伝送効率を低減させることなく、キャリア間干渉｜Ｃ｜による受信特性の劣化を改善するという利点がもたらされる。しかし一方その図８の構成では、第１および第２セクターアンテナ対１１および１２におけるアンテナ切替えに伴って生じる受信特性の劣化、すなわち再生音声信号や再生映像信号などの受信品質の劣化については何ら対策が講じられていない。そこで、この対策を講じたのが、図１に示す切替え制御手段３０である。
【００２１】
図２は図１に示す切替え制御手段３０の機能ブロック図である。
【００２２】
本図に示すとおり、少なくとも４つの機能部３２〜３５を有している。これらは、
セクターアンテナ１１ｆ／１１ｒの切替えおよびセクターアンテナ１２ｆ／１２ｒの切替えをすべきか否かを判定するアンテナ切替え判定機能部３２と、
セクターアンテナ１１ｆ／１１ｒおよび１２ｆ／１２ｒの切替えのタイミングを制御する切替えタイミング制御機能部３３と、
同期部６４，６６における同期処理と後述する保持部６７，６８における同期情報の保持動作を制御する同期／保持制御機能部３４と、
ダイバーシティ部２３におけるダイバーシティ合成の重み付けを制御するダイバーシティ合成制御機能部３５である。これらの機能部３２〜３５を有する切替え制御手段３０を導入した本発明の実施例を以下に説明する。
【００２３】
図３は本発明によるダイバーシティ受信装置の実施例を示す図である。
【００２４】
図８の構成に対して、切替え制御手段３０（図２）と保持部６７，６８とを付加した構成となっている。なお図３においては、その切替え制御手段３０による制御が及ぶルートを明確にするために、該手段３０による制御ルートを点線のラインで示す。
【００２５】
以下、切替え制御手段３０を中心に本発明の実施例に係るダイバーシティ受信装置１０を説明する。
【００２６】
第１および第２ブランチ系２１，２２内における各入力処理部４１，４２はＡＧＣ回路５４，５６を含んでいる。ここに切替え制御手段３０は、各ＡＧＣ回路５４，５６からのＡＧＣ信号を監視してセクターアンテナ対でのアンテナ切替えを行う。この役割は、アンテナ切替え判定機能部３２が果す。すなわち、入力信号のレベルが小さくなり、ＡＧＣ信号のＲＦ／ＩＦ段５３，５５に対する増幅度の指示が増大したときに、そのアンテナ切替えを実行すべきであるものと判定する。なお、ＲＦ／ＩＦ段５３，５５は、例えばＵＨＦ帯の地上デジタル送信波を受けて、これを増幅すると共に、ＩＦ帯の信号にダウンコンバートする等の入力処理を行う。
【００２７】
上記入力処理後の処理信号は、復調処理部６１，６２に印加される。図示のとおり、該復調処理部６１，６２は、同期部６４，６６と、保持部６７，６８と、復調部６３，６５とを備える。
【００２８】
さらに具体的には、該復調処理部は、復調に必要な同期情報を検出して同期処理を行う同期部と、この同期情報を所定の一定期間保持する保持部とを有する。ここに同期情報とは、送信側と受信側間の「周波数ずれ」や、「シンボルタイミング」などのことである。この同期情報に基づいて、復調部６３，６５において例えばＦＦＴ（Ｆａｓｔ  Ｆｏｕｒｉｅｒ  Ｔｒａｎｓｆｏｒｍ）などによる復調処理が行われる。すなわちマルチキャリアにおける全てのサブキャリアに対するシンボルの復調が行われる。
【００２９】
以上の処理には、図２に示す、アンテナ切替え判定機能部３２と、切替えタイミング制御機能部３３と、同期／保持制御機能部３４とが関与するので、これら機能部３２，３３および３４をさらに詳しく説明する。
【００３０】
図４は本発明における切替え制御の基本モードを表すタイムチャートである。
【００３１】
本図において、１）は第１ブランチ系１１におけるセクターアンテナ１１ｆから１１ｒ（またはこの逆）の第１切替え期間Ｔ１を示し、２）は第２ブランチ系１２におけるセクターアンテナ１２ｆから１２ｒ（またはこの逆）の第２切替え期間Ｔ２を示し、３）は上記１）および２）の切替え制御を行うために、切替え制御手段３０内のアンテナ切替え判定機能部３２が生成する切替え許可信号Ｓｓｗを示す。
【００３２】
図４で注目すべき点は、切替え制御手段３０が、第１セクターアンテナ対１１での切替えと、第２セクターアンテナ対１２での切替えとを、Ｔ１およびＴ２のごとく、双方同時には行わないことである。すなわち、アンテナ切替え判定機能部３２が、第１の切替え器４３に切替え許可信号Ｓｓｗ（“Ｌ”）を与えているときにのみ、第１ブランチ系２１でのアンテナ切替えを許可し、第２の切替え器４４に切替え許可信号Ｓｓｗ（“Ｌ”）を与えているときにのみ、第２ブランチ系２２でのアンテナ切替えを許可する。このため機能部３２は、該許可信号Ｓｓｗ（“Ｌ”）が同時に第１および第２ブランチ系２１，２２に与えることがないようにする。このように少なくとも一方のブランチ系から、アンテナ切替えを伴うことのない等化出力が必ずダイバーシティ部２３に与えられることを保証する。つまり、アンテナ切替え時の入力信号の不連続から生ずる影響を完全に排除する。
【００３３】
図４においてさらに注目すべき点は、次の点である。すなわち、切替え制御手段３０は、第１および第２セクターアンテナ対１１，１２の切替えを、それぞれ個別に、所定の切替え期間（Ｔ１，Ｔ２）内に行う上に、さらに該切替え制御手段３０は、そのセクターアンテナ対の切替えに際し、上記所定の切替え期間の前半において前述の同期情報を保持部６７，６８に保持した後にその切替えを実行し、その期間の後半においてその保持した同期情報を用いてその切替え後の新たな入力信号に対して同期処理を実行することである。
【００３４】
第１ブランチ系２１についても第２ブランチ系２２についても作用は全く同じであるので、以下、第１ブランチ系２１を主に説明する。
【００３５】
図４の１）におけるアンテナ切替え（“切替え”）が生じたとき、その切替え前の入力信号とその切替え後の入力信号とではそれぞれの伝送路特性は全く異なる。したがってその切替え後の入力信号に対する同期部６４での既述の同期処理は全く不安定なものとなり、同期引き込みにも多大な時間を要してしまう。
【００３６】
そこで本発明では、上述した全く不安定な状態をできるだけ回避するために、その切替え後の同期処理において、その切替え直前の同期情報（「周波数ずれ」や「シンボルタイミング」）を、切替え直後の同期処理に流用するようにする。切替え前後において、送信波の伝搬経路によって、既述の伝送路特性は激変するものの、その送信波は同一の送信源から与えられるものであるから、「周波ずれ」や「シンボルタイミング」には激変はないことに着目したものである。
【００３７】
そこで、図４において、アンテナ切替えは、第１切替え期間Ｔ１の開始時から行うのではなく、所定の期間（“前半”）の経過を待って実行する。そしてこの待ちの時間の間（“前半”）に、上記の同期情報を保持部６７に保持しておく。そして引続く期間（“後半”）において、その保持した同期情報を用いて、切替え後の入力信号に対する同期処理を実行して、迅速かつ円滑にその切替え後の入力信号の処理に移行させる。これらの制御は、切替え制御手段３０内の上記機能部３３および３４（図２）が主として行う。
【００３８】
上述した第１切替え期間Ｔ１（Ｔ２についても同じ）についてさらに詳しく説明するが、その場合のキーワードは「シンボル」（図４）である。ここでこの「シンボル」について触れておく。
【００３９】
図５はシンボル配列フォーマットの公知例を示す図である。
【００４０】
本図において、縦軸ｔは時間、横軸ｆは周波数である。周波数軸ｆ上には多数のサブキャリアが存在し、各サブキャリア対応にシンボルが配列される。一方、時間軸ｔに沿ってシンボルが配列され、全体としてマトリクス状にシンボル群が配列される。
【００４１】
上記シンボル群は、白丸で表す本来のデータシンボルと、黒丸で表す分散パイロットシンボルとからなる。分散パイロットシンボルの値は、送信側ではもちろん、受信装置１０においても知っているものとする。
【００４２】
図示するとおり、分散パイロットシンボルは時間軸ｔ方向に４シンボル置きに配置される。このようなシンボル群は、後段の等化処理部７１に送られて、値が既知の分散パイロットシンボルを基準にして、その間に挿入されるデータシンボルに対し、その伝送路特性を補間する。この補間としては、例えばステップ補間や直線補間がある。
【００４３】
かくして、３サブキャリア毎の伝送路応答が得られることになり、これらを今度は、周波数軸ｆ方向において補間することによって、全てのデータシンボルに対する伝送路応答が求められることになる。ただし、既述のアンテナ切替えが生ずると、伝送路特性も変わるので、上記の補間処理が正しく行われない。これが既述した本発明の問題点に相当する。
【００４４】
ここで再び図４に戻ると、復調処理部６１における復調後の信号が、周波数軸ｆ方向と時間軸ｔ方向とに所定のフォーマットで配列されたデータシンボルおよび分散パイロットシンボルからなるとき（図５）、図４の所定の切替え期間Ｔ１は、分散パイロットシンボルの時間軸ｔ方向における挿入間隔（４シンボル）の少なくとも２倍（８シンボル）である。これら“４シンボル”および“８シンボル”は図４の中に示されている。
【００４５】
図４を参照すると、切替え制御手段３０内の機能部３３，３４は、少なくとも分散パイロットシンボルの挿入間隔分（４シンボル）を、前記期間Ｔ１の“前半”として、その“前半”の期間経過後にセクターアンテナ対１１の切替えを行う。そしてその“後半”の期間も４シンボルとして、全体として８シンボルの期間で１回のアンテナ切替え操作を完了する。８シンボルとしたのは、ある１分散パイロットシンボル間隔の間（４シンボル）のどこかでアンテナ切替えを行ったとすると、等化処理部７１では常に一定量のシンボルを蓄積しながら等化処理を実行することから、そのアンテナ切替えによる影響が、その直前の１分散パイロットシンボル間隔のデータシンボルにも及んでしまうからであり、全体として８シンボルを一単位としてアンテナ切替えを行う。
【００４６】
上記のアンテナ切替えについて見ると、その切替えのタイミングについても本発明による工夫がある。その工夫とは、データシンボルおよび分散パイロットシンボルの各シンボルの全期間がガード期間と有効シンボル期間とからなるとき、切替え制御手段３０（３３，３４）は、この有効シンボル期間内において、セクターアンテナ対１１の切替えを行うことである。これを図を参照して説明する。
【００４７】
図６は１シンボルの一般的な構成を示す図である。
【００４８】
上述したシンボルの１つを取り出してみると、この１シンボルは図示するとおり、ガード期間と有効シンボル期間とからなり、これら２つの期間を合わせて全シンボル期間となる。
【００４９】
上述した本発明の工夫とは、図６において、アンテナ切替えを、図中上向き矢印で示すように、有効シンボル期間内に行うことにある。
【００５０】
有効シンボル期間は本来の有意義情報を伝送するための期間であるが、その伝送中におけるマルチパス遅延に起因して、シンボル間干渉が生じてしまい、データの信頼性が失なわれてしまうことがある。
【００５１】
そこでそのシンボル間干渉の発生を防止するため、通常、ガード期間が付加される。このガード期間は復調処理部６１での復調処理後には廃棄されてしまうものの、復調処理中には同期部６４による同期処理において重要な役割を果たす。
【００５２】
本発明では、図４の“８シンボル”期間中における迅速かつ円滑な同期引き込みを保証すべく、上述の同期処理において重要な役割を果たすガード期間をつぶさないようにするため、アンテナ切替えは必ず有効シンボル期間内に行うようにタイミング制御する。これは手段３０内の機能部３３（図２）が行う。
【００５３】
しかしそうすると、今度は有効シンボル期間内の有意義情報をつぶしてしまうことになり、ダイバーシティ部２３の出力ＯＵＴの信頼性に問題が生じてしまう。
【００５４】
ところがこの問題は、次に述べる本発明のさらなる工夫で容易に解消される。以下これについて説明する。
【００５５】
図７は本発明の実施例によるダイバーシティ部内の原理構成を示す図である。
【００５６】
この原理構成によると、切替え制御手段３０（図２のダイバーシティ合成制御機能部３５）は、ダイバーシティ部２３において、第１および第２ブランチ系２１，２２（特に、第１および第２等化処理部７１，７２）からそれぞれ入力される各処理信号に対し個別に所定の係数を乗じた重み付けをした後、ダイバーシティ合成を実行させるようにする。図７を参照すると、上記の重み付けは第１乗算部８１と第２乗算部８２とにより行われ、加算部８３にて上記のダイバーシティ合成が行われる。
【００５７】
上記の係数について見ると、第１および第２ブランチ系２１，２２のうちセクターアンテナ対（１１，１２）の切替えを実行中の切替え側ブランチ系から入力される上記処理信号に対して、１より小さい係数で上記の重み付けを行うようにする。１より小さい係数であるから零であってもよい。零にすると、アンテナ切替え中のブランチ系からの等化信号はダイバーシティ合成に全く関与しないことになる。この場合、有効シンボル期間内でアンテナ切替えを行うという態様（図６）において、有意義情報をつぶしてしまうことに起因して、出力ＯＵＴの信頼性を失なうといった既述の問題を容易に解消できる。ただしこの場合は、いわば１ブランチ系の構成になってしまう。つまりダイバーシティ効果は少なくなってしまう。しかし、出力ＯＵＴの信頼性は維持できる。
【００５８】
最後に、マルチパス遅延波の遅延分散を考慮した場合について述べておく。この遅延分散を考慮した場合、等化処理部７１は、データシンボルおよび分散パイロットシンボルの各シンボルの全期間がガード期間と有効シンボル期間とからなるとき（図６参照）、上記マルチパス遅延波の遅延分散が、その有効シンボル期間の１／１２以内である場合、前述した復調後の信号に対し周波数軸ｆ方向のみでの伝送路特性の補間を実行するようにする。
【００５９】
この場合前述の係数を、上記遅延分散の程度に応じて変化させることもできる。
【００６０】
【発明の効果】
以上説明したように本発明によれば、図８の構成を前提とするダイバーシティ受信機において、第１および第２セクターアンテナ対の各々で実施されるアンテナ切替えに起因する、受信品質の劣化を十分に防ぐことができる。
【図面の簡単な説明】
【図１】本発明によるダイバーシティ受信装置の基本構成図である。
【図２】図１に示す切替え制御手段３０の機能ブロック図である。
【図３】本発明によるダイバーシティ受信装置の実施例を示す図である。
【図４】本発明における切替え制御の基本モードを表すタイムチャートである。
【図５】シンボル配列フォーマットの公知例を示す図である。
【図６】１シンボルの一般的な構成を示す図である。
【図７】本発明の実施例によるダイバーシティ部内の原理構成を示す図である。
【図８】本発明の前提をなすダイバーシティ受信装置を示す図である。
【符号の説明】
１０…ダイバーシティ受信装置
１１…第１セクターアンテナ対
１１ｆ，１１ｒ…セクターアンテナ
１２…第２セクターアンテナ対
１２ｆ，１２ｒ…セクターアンテナ
２１…第１ブランチ系
２２…第２ブランチ系
２３…ダイバーシティ部
３０…切替え制御手段
３１…切替え判定部
３２…アンテナ切替え判定機能部
３３…切替えタイミング制御機能部
３４…同期／保持制御機能部
３５…ダイバーシティ合成制御機能部
４１，４２…切替え処理部
４３，４４…切替え器
５１，５２…入力処理部
５３，５５…ＲＦ／ＩＦ段
５４，５６…ＡＧＣ回路
６１，６２…復調処理部
６３，６５…復調部
６４，６６…同期部
６７，６８…保持部
７１，７２…等化処理部
８１…第１乗算部
８２…第２乗算部
８３…加算部
【図１】
2004172716.tif 000003
【図２】
2004172716.tif 000004
【図３】
2004172716.tif 000005
【図４】
2004172716.tif 000006
【図５】
2004172716.tif 000007
【図６】
2004172716.tif 000008
【図７】
2004172716.tif 000009
【図８】
2004172716.tif 000010